(57)【要約】【課題】ガードインターバルを除去するためのタイミングを検出する受信装置及び受信方法を提供すること。【解決手段】無線信号を受信する受信部１１と、無線信号に含まれている各ＯＦＤＭシンボルにおいてガードインターバルを用いた自己相関を計算し、相関ピーク値を検出する相関検出部１５と、受信レベルが所定の閾値より高いかどうかを判定する判定部１６と、受信レベルが所定の閾値よりも高いと判定された場合に、相関ピーク値に基づいてカウンタ値を生成するカウンタ部１７と、受信レベルが所定の閾値よりも高いと判定された場合には、相関ピーク値が検出されたタイミングに基づいて、ＯＦＤＭシンボルの同期のタイミング信号を出力し、受信レベルが所定の閾値よりも低いと判定された場合には、カウンタ値が出力されるタイミングに基づいて、ＯＦＤＭシンボルの同期のタイミング信号を出力するように切り替える切替部１８を備える。【選択図】図１
2013198078.tif 000002
【特許請求の範囲】
【請求項１】
マルチキャリア変調されたデータ信号にガードインターバルが付加された少なくとも一以上のＯＦＤＭシンボルが含まれている無線信号を受信する受信装置において、
前記無線信号を受信する受信部と、
前記受信部で受信した前記無線信号に含まれている各ＯＦＤＭシンボルにおいてガードインターバルを用いた自己相関を計算し、当該計算の結果から相関ピーク値を検出する相関検出部と、
前記受信部で受信した前記無線信号の受信レベルが所定の閾値よりも高いかどうかを判定する判定部と、
前記判定部により前記無線信号の受信レベルが所定の閾値よりも高いと判定された場合に、前記相関検出部により検出された相関ピーク値に基づいてカウンタ値を生成するカウンタ部と、
前記判定部により前記無線信号の受信レベルが所定の閾値よりも高いと判定された場合には、前記相関検出部により相関ピーク値が検出されたタイミングに基づいて、ＯＦＤＭシンボルの同期のタイミング信号を出力し、前記判定部により前記無線信号の受信レベルが所定の閾値よりも低いと判定された場合には、前記カウンタ部からカウンタ値が出力されるタイミングに基づいて、ＯＦＤＭシンボルの同期のタイミング信号を出力するように切り替える切替部を備える受信装置。
【請求項２】
前記切替部から出力されるＯＦＤＭシンボルの同期のタイミングに基づいて、ＯＦＤＭシンボルからガードインターバルを除去するガードインターバル除去部を備える請求項１記載の受信装置。
【請求項３】
前記受信部で受信した前記無線信号の利得を制御する自動利得制御増幅器を備え、
前記判定部は、前記自動利得制御増幅器の制御電圧を監視することにより、前記受信レベルが所定の閾値を超えているかどうかを判定する請求項１記載の受信装置。
【請求項４】
前記受信部で受信した前記無線信号の受信電界強度を検出する受信電界強度検出部を備え、
前記受信レベルは、前記受信電界強度検出部により検出した受信電界強度であり、
前記判定部は、前記受信電界強度が所定の閾値を超えているかどうかを判定する請求項１記載の受信装置。
【請求項５】
マルチキャリア変調されたデータ信号にガードインターバルが付加された少なくとも一以上のＯＦＤＭシンボルが含まれている無線信号を受信する受信方法において、
前記無線信号を受信する受信工程と、
前記受信工程で受信した前記無線信号に含まれている各ＯＦＤＭシンボルにおいてガードインターバルを用いた自己相関を計算し、当該計算の結果から相関ピーク値を検出する相関検出工程と、
前記受信工程で受信した前記無線信号の受信レベルが所定の閾値よりも高いかどうかを判定する判定工程と、
前記判定工程により前記無線信号の受信レベルが所定の閾値よりも高いと判定された場合に、前記相関検出工程により検出された相関ピーク値に基づいてカウンタ値を生成するカウンタ工程と、
前記判定工程により前記無線信号の受信レベルが所定の閾値よりも高いと判定された場合には、前記相関検出工程により相関ピーク値が検出されたタイミングに基づいて、ＯＦＤＭシンボルの同期のタイミング信号を出力し、前記判定工程により前記無線信号の受信レベルが所定の閾値よりも低いと判定された場合には、前記カウンタ工程からカウンタ値が出力されるタイミングに基づいて、ＯＦＤＭシンボルの同期のタイミング信号を出力するように切り替える切替工程を備える受信方法。
【発明の詳細な説明】
【技術分野】
【０００１】
本発明は、直交周波数分割多重方式により送信された無線信号を受信する受信装置及び受信方法に関する。
【背景技術】
【０００２】
近年、移動体通信（特に第４世代の次世代移動体通信）の分野では、高速移動時においても１００Ｍｂｐｓ超のデータレートが要求されつつある。そのため、周波数選択性フェージング環境への適応性や周波数利用効率を向上させる観点から、直交周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）等のマルチキャリア伝送方式に関する応用研究が進められている。
【０００３】
直交周波数分割多重方式による送信信号は、所定の長さのＯＦＤＭシンボルが複数連なって構成されている。各ＯＦＤＭシンボルは、最後部の一部の値がコピーされて、先頭に付加（これをガードインターバル（ＧＩ）又はサイクリックプレフィックスという）されている。
【０００４】
受信機は、ＯＦＤＭシンボルからガードインターバルを除去するために、ガードインターバルを除去するタイミングを検出する必要がある。
その方法には大きく２つに大別される。１つ目は、トレーニング信号を利用する方法である。具体的には、送信機において、既知信号（トレーニング信号）をＯＦＤＭシンボルに付加して送信し、受信機において、整合フィルタを用いて既知信号を検出することにより、ガードインターバルを除去するタイミングを検出する（例えば、特許文献１を参照）。
【０００５】
２つ目は、ガードインターバル部分が１ＯＦＤＭシンボル分遅延した同一信号であることに着目し、ガードインターバルとＯＦＤＭシンボルの最後尾にあるデータとの相関を検出することにより、ガードインターバルを除去するタイミングを検出する方法（相関検出方法）であり、地上波ディジタル放送用受信機等で多く用いられている（例えば、特許文献２を参照）。
【０００６】
１つ目の整合フィルタ方式では、既知信号が必要になり、その分伝送効率が悪くなるが、正確にガードインターバルを除去するタイミングの検出が可能である。一方、２つ目の相関検出方法では、既知信号が必要ないため、伝送効率が良いが、フェージング時には正確にガードインターバルの除去タイミングの検出が難しくなるというデメリットがある。
【０００７】
連続したＯＦＤＭ信号の場合、一般に伝送効率を高めるため、相関検出方法を採用することが一般的である。
【０００８】
ここで、ガードインターバル部分に関する相関検出ピーク値は、理想的な場合、図７に示すように、１ＯＦＤＭシンボル毎にその境界部分にピーク値が得られる。このピーク値のタイミングがＯＦＤＭシンボルの境界を示している。
受信機は、ピーク値に基づいて、正確にガードインターバルを除去することが可能になる。
【先行技術文献】
【特許文献】
【０００９】
【特許文献１】特開２０１０−２８２８０号公報
【特許文献２】特開２００３−８５４１号公報
【発明の概要】
【発明が解決しようとする課題】
【００１０】
ところが、フェージング等により受信電力が低下した場合、図８に示すように、相関検出したピーク値は、正常な値からずれてしまう。このような場合、受信機においてガードインターバルを正しく除去できなくなり、同期はずれ状態となって、受信不能になってしまう。
【００１１】
本発明は、フェージング等により受信電力が低下した場合であっても、正確にカードインターバルを除去するタイミングを検出することができる受信装置及び受信方法を提供することを目的とする。
【課題を解決するための手段】
【００１２】
以上のような課題を解決するために、本発明は、以下のものを提供する。
（１）受信装置は、マルチキャリア変調されたデータ信号にガードインターバルが付加された少なくとも一以上のＯＦＤＭシンボルが含まれている無線信号を受信する受信装置において、前記無線信号を受信する受信部と、前記受信部で受信した前記無線信号に含まれている各ＯＦＤＭシンボルにおいてガードインターバルを用いた自己相関を計算し、当該計算の結果から相関ピーク値を検出する相関検出部と、前記受信部で受信した前記無線信号の受信レベルが所定の閾値よりも高いかどうかを判定する判定部と、前記判定部により前記無線信号の受信レベルが所定の閾値よりも高いと判定された場合に、前記相関検出部により検出された相関ピーク値に基づいてカウンタ値を生成するカウンタ部と、前記判定部により前記無線信号の受信レベルが所定の閾値よりも高いと判定された場合には、前記相関検出部により相関ピーク値が検出されたタイミングに基づいて、ＯＦＤＭシンボルの同期のタイミング信号を出力し、前記判定部により前記無線信号の受信レベルが所定の閾値よりも低いと判定された場合には、前記カウンタ部からカウンタ値が出力されるタイミングに基づいて、ＯＦＤＭシンボルの同期のタイミング信号を出力するように切り替える切替部を備える構成である。
【００１３】
本発明によれば、受信装置は、フェージング等により受信電力が低下しない場合には、相関検出部により相関ピーク値が検出されるタイミングに基づいて、ＯＦＤＭシンボルの同期のタイミング信号を出力し、また、フェージング等により受信電力が低下した場合には、カウンタ部からカウンタ値が出力されるタイミングに基づいて、ＯＦＤＭシンボルの同期のタイミング信号を出力するので、正確にカードインターバルを除去するタイミングを検出することができる。
【００１４】
（２）受信装置は、前記切替部から出力されるＯＦＤＭシンボルの同期のタイミングに基づいて、ＯＦＤＭシンボルからガードインターバルを除去するガードインターバル除去部を備える構成でも良い。
【００１５】
本発明によれば、受信装置は、フェージング等により受信電力が低下しない場合には、相関検出部により相関ピーク値が検出されるタイミングを、ガードインターバルを除去するタイミングにし、また、フェージング等により受信電力が低下した場合には、カウンタ部からカウンタ値が出力されるタイミングを、ガードインターバルを除去するタイミングにするので、正確にカードインターバルを除去することができる。
【００１６】
（３）受信装置は、前記受信部で受信した前記無線信号の利得を制御する自動利得制御増幅器を備え、前記判定部は、前記自動利得制御増幅器の制御電圧を監視することにより、前記受信レベルが所定の閾値を超えているかどうかを判定する構成でも良い。
【００１７】
例えば、受信装置は、自動利得制御（ＡＧＣ）の制御電圧を監視し、受信レベルが所定の閾値よりも高い場合には、フェージング等による受信電力の低下が少ないと判断できるので、相関検出部により相関ピーク値が検出されるタイミングに基づいて、ＯＦＤＭシンボルの同期のタイミング信号を出力する。
また、受信装置は、利得制御の制御電圧を監視し、受信レベルが所定の閾値よりも低い場合には、フェージング等により受信電力が低下していると判断できるので、カウンタ部からカウンタ値が出力されるタイミングに基づいて、ＯＦＤＭシンボルの同期のタイミング信号を出力する。
よって、受信装置は、正確にカードインターバルを除去するタイミングを検出することができる。
【００１８】
（４）受信装置は、前記受信部で受信した前記無線信号の受信電界強度を検出する受信電界強度検出部を備え、前記受信レベルは、前記受信電界強度検出部により検出した受信電界強度であり、前記判定部は、前記受信電界強度が所定の閾値を超えているかどうかを判定する構成でも良い。
【００１９】
例えば、受信装置は、受信電界強度（ＲＳＳＩ、Ｒｅｃｅｉｖｅｄ  Ｓｉｇｎａｌ  Ｓｔｒｅｎｇｔｈ  Ｉｎｄｉｃａｔｉｏｎ）が所定の閾値よりも高い場合には、フェージング等による受信電力の低下が少ないと判断できるので、相関検出部により相関ピーク値が検出されるタイミングに基づいて、ＯＦＤＭシンボルの同期のタイミング信号を出力する。
また、受信装置は、受信電界強度が所定の閾値よりも低い場合には、フェージング等により受信電力が低下していると判断できるので、カウンタ部からカウンタ値が出力されるタイミングに基づいて、ＯＦＤＭシンボルの同期のタイミング信号を出力する。
よって、受信装置は、正確にカードインターバルを除去するタイミングを検出することができる。
【００２０】
（５）受信方法は、マルチキャリア変調されたデータ信号にガードインターバルが付加された少なくとも一以上のＯＦＤＭシンボルが含まれている無線信号を受信する受信方法において、前記無線信号を受信する受信工程と、前記受信工程で受信した前記無線信号に含まれている各ＯＦＤＭシンボルにおいてガードインターバルを用いた自己相関を計算し、当該計算の結果から相関ピーク値を検出する相関検出工程と、前記受信工程で受信した前記無線信号の受信レベルが所定の閾値よりも高いかどうかを判定する判定工程と、前記判定工程により前記無線信号の受信レベルが所定の閾値よりも高いと判定された場合に、前記相関検出工程により検出された相関ピーク値に基づいてカウンタ値を生成するカウンタ工程と、前記判定工程により前記無線信号の受信レベルが所定の閾値よりも高いと判定された場合には、前記相関検出工程により相関ピーク値が検出されたタイミングに基づいて、ＯＦＤＭシンボルの同期のタイミング信号を出力し、前記判定工程により前記無線信号の受信レベルが所定の閾値よりも低いと判定された場合には、前記カウンタ工程からカウンタ値が出力されるタイミングに基づいて、ＯＦＤＭシンボルの同期のタイミング信号を出力するように切り替える切替工程を備える構成である。
【００２１】
本発明によれば、受信方法は、フェージング等により受信電力が低下しない場合には、相関検出工程により相関ピーク値が検出されるタイミングに基づいて、ＯＦＤＭシンボルの同期のタイミング信号を出力し、また、フェージング等により受信電力が低下した場合には、カウンタ工程からカウンタ値が出力されるタイミングに基づいて、ＯＦＤＭシンボルの同期のタイミング信号を出力するので、正確にカードインターバルを除去するタイミングを検出することができる。
【発明の効果】
【００２２】
以上説明したように、本発明によれば正確にカードインターバルを除去するタイミングを検出することができる。
【図面の簡単な説明】
【００２３】
【図１】受信装置の第1の構成を示すブロック図である。
【図２】受信装置の第２の構成を示すブロック図である。
【図３】受信装置の動作の流れについて説明に供するフローチャートである。
【図４】フェージングの影響により受信レベルが落ち込む様子についての説明に供する図である。
【図５】受信レベルが高い場合と低い場合において、ＯＦＤＭシンボルの同期のタイミング信号を切り替えて出力する様子についての説明に供する図である。
【図６】従来装置と受信装置のフェージング環境下における平均符号誤り率特性を評価した比較結果を示す図である。
【図７】ガードインターバルを用いた相関ピーク値に基づいて、フレームタイミングを検出する方法についての説明に供する図である。
【図８】受信レベルが高い場合と低い場合における相関ピーク値の検出のタイミングについての説明に供する図である。
【発明を実施するための形態】
【００２４】
以下、本発明を実施するための最良の形態について、図面を参照しながら説明する。受信装置１は、図１に示すように、受信部１１と、タイミング制御部１２と、ＡＦＣ（Ａｕｔｏｍａｔｉｃ  ｆｒｅｑｕｅｎｃｙ  ｃｏｎｔｒｏｌ）回路部１３と、ガードインターバル除去部１４とを備え、マルチキャリア変調されたデータ信号にガードインターバルが付加された少なくとも一以上のＯＦＤＭシンボルが含まれている無線信号を受信する。
【００２５】
受信部１１は、無線信号を受信する。
タイミング制御部１２は、ガードインターバルを除去するタイミング信号を生成し、タイミング信号をガードインターバル除去部１４に供給する。
ＡＦＣ回路部１３は、受信部１１で受信した無線信号の周波数を安定化させて、安定化した後の信号をガードインターバル除去部１４に供給する。
ガードインターバル除去部１４は、タイミング制御部１２から供給されるタイミング信号に基づいて、ＡＦＣ回路部１３から供給される信号からガードインターバルを除去する。
【００２６】
なお、受信装置１は、図１に示す構成に限定されず、他の電気的要素（例えば、伝搬路特性に基づくひずみを補償する等化器やバンドパスフィルタ、無線信号をダウンコンバートする周波数変換回路等）を含んでいても良い。
【００２７】
ここで、タイミング制御部１２の具体的な構成について説明する。タイミング制御部１２は、図１に示すように、相関検出部１５と、判定部１６と、カウンタ部１７と、切替部１８を備える。
【００２８】
相関検出部１５は、受信部１１で受信した無線信号に含まれている各ＯＦＤＭシンボルにおいてガードインターバルを用いた自己相関を計算し、当該計算の結果から相関ピーク値を検出する。
【００２９】
判定部１６は、受信部１１で受信した無線信号の受信レベルＬが所定の閾値を超えているかどうかを判定する。
【００３０】
カウンタ部１７は、判定部１６により無線信号の受信レベルＬが所定の閾値を超えていると判定された場合に、相関検出部１５により検出された相関ピーク値に基づいてカウンタ値を生成する。
【００３１】
切替部１８は、判定部１６により無線信号の受信レベルＬが所定の閾値よりも高いと判定された場合には、相関検出部１５により相関ピーク値が検出されたタイミングに基づいて、ＯＦＤＭシンボルの同期のタイミング信号を出力するように切り替える。一方、切替部１８は、判定部１６により無線信号の受信レベルＬが所定の閾値よりも低いと判定された場合には、カウンタ部１７からカウンタ値が出力されるタイミングに基づいて、ＯＦＤＭシンボルの同期のタイミング信号を出力するように切り替える。
【００３２】
ここで、相関検出部１５の具体的な構成について説明する。相関検出部１５は、図１に示すように、遅延部１５１と、共役部１５２と、乗算部１５３と、加算部１５４と、平均化部１５５と、ピーク値検出部１５６と、タイミング検出部１５７を備える。
【００３３】
遅延部１５１は、受信部１１で受信した無線信号に対して、１ＯＦＤＭシンボル分遅延する。
共役部１５２は、遅延部１５１により１ＯＦＤＭシンボル分遅延させた信号に対して、１サンプルずつ共役複素演算を行う。
【００３４】
乗算部１５３は、受信部１１により受信した１サンプル分の無線信号と、共役部１５２で共役複素演算した１サンプル分の信号を乗算する。
加算部１５４は、乗算部１５３で乗算した複数個のサンプル（例えば、６４サンプル）を加算する。加算部１５４で加算された値を相関値という。
平均化部１５５は、相関値に対して、加算部１５４で加算したサンプル数に基づいて、平均値を求める。
【００３５】
ピーク値検出部１５６は、平均化部１５５で得られた相関値が、所定の閾値を超えているか否かのピーク値（相関ピーク値）の検出を行う。ピーク値検出部１５６は、相関値が所定の閾値を超えていると判断した場合には、タイミング検出部１５７にピーク値を検出した旨を通知する。
タイミング検出部１５７は、ピーク値検出部１５６によりピーク値を検出したタイミングに基づいて、ＯＦＤＭシンボルの同期のタイミング信号を出力する。
【００３６】
次に、カウンタ部１７の詳細な構成について説明する。カウンタ部１７は、図１に示すように、カウンタ初期値設定部１７１と、カウンタタイミング部１７２から構成されている。
【００３７】
カウンタ初期値設定部１７１は、判定部１６により、受信レベルＬが所定の閾値よりも高いと判定されたことを条件として、タイミング検出部１５７から出力されるＯＦＤＭシンボルの同期のタイミング信号に基づいて、カウンタタイミング部１７２のカウンタ初期値を設定する。
【００３８】
カウンタタイミング部１７２は、カウンタ初期値設定部１７１によりカウンタ初期値が設定されたタイミングでカウンタ値を出力する。
【００３９】
よって、カウンタ部１７は、判定部１６により、受信レベルＬが所定の閾値よりも高いと判定されている場合には、タイミング検出部１５７から出力されるタイミング信号に同期して、１ＯＦＤＭシンボル分のカウンタ値を出力する。
【００４０】
ここで、判定部１６により、受信レベルＬが所定の閾値よりも高いと判定された場合には、フェージング等の影響が小さいと判断できる。この場合には、受信装置１は、相関検出部１５において相関ピーク値が検出されるタイミングに基づいて、ガードインターバルを除去する。
【００４１】
また、判定部１６により、受信レベルＬが所定の値よりも低い判定された場合には、フェージング等の影響が大きいと判断できる。この場合には、受信装置１は、相関検出部１５において相関ピーク値が検出されるタイミングが正規のタイミングからずれてしまうので、正確にガードインターバルを除去することができなくなる。
【００４２】
そこで、受信装置１は、受信レベルＬが所定の値よりも低いと判定された場合には、カウンタ部１７で生成されたカウンタ値に基づいて、ガードインターバルを除去する。
【００４３】
なお、受信装置１は、判定部１６により、再び、受信レベルＬが所定の値よりも高いと判定されれば、切替部１８を切り替えて、相関検出部１５により相関ピーク値を検出したタイミングに基づいて、ガードインターバルを除去する。そして、受信装置１は、カウンタ部１７から出力されるカウンタ値を、相関検出部１５から出力されるタイミング信号に同期させておく。
【００４４】
このように構成されることにより、受信装置１は、フェージング等により受信電力が低下しない場合には、相関検出部１５により相関ピーク値が検出されるタイミングに基づいて、ＯＦＤＭシンボルの同期のタイミング信号を出力し、一方、フェージング等により受信電力が低下した場合には、カウンタ部１７からカウンタ値が出力されるタイミングに基づいて、ＯＦＤＭシンボルの同期のタイミング信号を出力する。よって、受信装置１は、フェージング等により受信電力が低下した場合であっても、正確にカードインターバルを除去するタイミングを検出することができる。
【００４５】
また、上述では、受信装置１の構成と動作について説明したが、これに限られず、各構成要素を備え、正確にカードインターバルを除去するタイミングを検出するための受信方法として構成されても良い。
【００４６】
また、受信装置１は、図１に示すように、ガードインターバル除去部１４を備える。
ガードインターバル除去部１４は、切替部１８から出力されるＯＦＤＭシンボルの同期のタイミング信号に基づいて、ＯＦＤＭシンボルからガードインターバルを除去する。
【００４７】
このような構成によれば、受信装置１は、フェージング等により受信電力が低下しない場合には、相関検出部１５により相関ピーク値が検出されるタイミングを、ガードインターバルを除去するタイミングとし、また、フェージング等により受信電力が低下した場合には、カウンタ部１７からカウンタ値が出力されるタイミングを、ガードインターバルを除去するタイミングとするので、正確にカードインターバルを除去することができる。
【００４８】
また、受信装置１は、図１に示すように、受信部１１で受信した無線信号の利得を制御する自動利得制御増幅器１９を備える構成でも良い。
このような構成の場合には、判定部１６は、自動利得制御増幅器１９の制御電圧を監視することにより、受信レベルＬが所定の閾値を超えているかどうかを判定する。
【００４９】
例えば、受信装置１は、自動利得制御（ＡＧＣ）の制御電圧を監視し、受信レベルＬが所定の閾値よりも高い場合には、フェージング等による受信電力の低下が少ないと判断できるので、相関検出部１５により相関ピーク値が検出されるタイミングに基づいて、ＯＦＤＭシンボルの同期のタイミング信号を出力する。
【００５０】
また、受信装置１は、制御電圧を監視し、受信レベルＬが所定の閾値よりも低い場合には、フェージング等により受信電力が低下していると判断できるので、カウンタ部１７からカウンタ値が出力されるタイミングに基づいて、ＯＦＤＭシンボルの同期のタイミング信号を出力する。
よって、受信装置１は、正確にカードインターバルを除去するタイミングを検出することができる。
【００５１】
また、受信装置１は、図２に示すように、受信部１１で受信した無線信号の受信電界強度を検出する受信電界強度検出部２０を備える構成でも良い。なお、受信レベルＬは、受信電界強度検出部２０により検出した受信電界強度に相当する。
このような構成の場合には、判定部１６は、受信電界強度が所定の閾値を超えているかどうかを判定する。
【００５２】
例えば、受信装置１は、受信電界強度（ＲＳＳＩ、Ｒｅｃｅｉｖｅｄ  Ｓｉｇｎａｌ  Ｓｔｒｅｎｇｔｈ  Ｉｎｄｉｃａｔｉｏｎ）が所定の閾値よりも高い場合には、フェージング等による受信電力の低下が少ないと判断できるので、相関検出部１５により相関ピーク値が検出されるタイミングに基づいて、ＯＦＤＭシンボルの同期のタイミング信号を出力する。
【００５３】
また、受信装置１は、受信電界強度が所定の閾値よりも低い場合には、フェージング等により受信電力が低下していると判断できるので、カウンタ部１７からカウンタ値が出力されるタイミングに基づいて、ＯＦＤＭシンボルの同期のタイミング信号を出力する。
よって、受信装置１は、正確にカードインターバルを除去するタイミングを検出することができる。
【００５４】
つぎに、受信装置１の動作の流れについて、図３に示すフローチャートを参照しながら説明する。なお、以下の実施例では、自動利得制御増幅器１９による制御電圧が受信レベルＬであるとして説明する。
【００５５】
ステップＳＴ１において、加算部１５４は、相関値を算出する。具体的には、加算部１５４は、乗算部１５３で乗算した複数個のサンプル（例えば、６４サンプル）を加算することにより、相関値を算出する。
【００５６】
ステップＳＴ２において、平均化部１５５は、相関値に基づいて移動平均値を算出する。
ステップＳＴ３において、ピーク値検出部１５６は、算出した移動平均値に基づいて、相関ピーク値の検出を行う。
【００５７】
ステップＳＴ４において、タイミング検出部１５７は、相関ピーク値を検出したタイミングに基づいて、タイミング信号を出力する。
【００５８】
ステップＳＴ５において、カウンタ部１７は、無線信号の受信レベルＬが所定の閾値よりも高いと判定された場合に、タイミング検出部１５７から出力されるタイミング信号に基づいて、カウンタ値を生成し、出力する。
【００５９】
ステップＳＴ６において、判定部１６は、受信部１１で受信した無線信号の受信レベルＬが所定の閾値よりも高いかどうか判定する。受信レベルＬが所定の閾値よりも高いと判定した場合（Ｙｅｓ）には、ステップＳＴ７に進み、受信レベルＬが所定の閾値よりも低いと判定した場合（Ｎｏ）には、ステップＳＴ８に進む。なお、図４に示すように、受信レベルＬが所定の閾値（判定閾値）よりも高い場合には、ＡＧＣ制御電圧は少なくてすむので小さくなり、受信レベルＬが所定の閾値（判定閾値）よりも低い場合には、ＡＧＣ制御電圧は高くなる。なお、この所定の閾値（判定閾値）は、変動しないものとしても良いし、撮影場所や撮影環境（明るさや障害物の有無等）等によって、適応的に変動させても良い。
【００６０】
ステップＳＴ７において、切替部１８は、タイミング検出部１５７により相関ピーク値が検出されたタイミングに基づいて、ＯＦＤＭシンボルの同期のタイミング信号を出力する。
【００６１】
ステップＳＴ８において、切替部１８は、カウンタ部１７からカウンタ値が出力されるタイミングに基づいて、ＯＦＤＭシンボルの同期のタイミング信号を出力する。
【００６２】
このように構成されることにより、受信装置１は、受信レベルＬが所定の閾値を超えている場合、すなわち、フェージング等により受信電力が低下していない場合には、タイミング検出部１５７により相関ピーク値が検出されるタイミングに基づいて、ＯＦＤＭシンボルの同期のタイミング信号を出力する。一方、受信装置１は、受信レベルＬが所定の閾値を超えていない場合、すなわち、フェージング等により受信電力が低下している場合には、カウンタ部１７からカウンタ値が出力されるタイミングに基づいて、ＯＦＤＭシンボルの同期のタイミング信号を出力する。
よって、受信装置１は、フェージング等により受信電力が低下した場合であっても、正確にカードインターバルを除去するタイミングを検出することができる。
【００６３】
また、受信レベルＬが所定の閾値を超えている場合と、受信レベルＬが所定の閾値を超えていない場合における、相関検出部１５、カウンタ初期値設定部１７１、カウンタタイミング部１７２及び切替部１８から出力される信号波形を図５に示す。
【００６４】
受信レベルＬが所定の閾値よりも高い場合（図５（ａ）中の時間領域Ａ）には、切替部１８から出力されるタイミング信号は、相関検出部１５により相関ピーク値が検出されたタイミングに同期して生成される（図５（ｂ）の領域Ｘ）。
【００６５】
なお、この場合には、カウンタ初期値設定部１７１は、相関検出部１５により相関ピーク値が検出されたタイミングに同期してカウンタ初期値を設定する。カウンタタイミング部１７２は、カウンタ初期値設定部１７１により設定されたカウンタ初期値に基づいて、カウンタ値を生成する。
【００６６】
また、受信レベルＬが所定の閾値よりも低い場合（図５（ａ）中の時間領域Ｂ）には、相関検出部１５は、正しくない場所で相関ピーク値が検出されてしまう（図５（ｂ）中の領域Ｃ）。
よって、この場合には、切替部１８から出力されるタイミング信号は、図５（ｂ）に示すように、カウンタタイミング部１７２から出力されるカウンタ値に基づいて生成される（図５（ｂ）の領域Ｙ）。
【００６７】
また、図６には、従来装置と、本実施の形態に係る受信装置１において、フェージング環境下における平均符号誤り率特性を評価した比較結果を示す。この結果から、受信装置１は、従来装置に比較して、特に、低Ｃ／Ｎ値において、平均符号誤り率を１０％〜２０％程度改善することが分かる。さらに、一度同期はずれが生じたときには、データ信号は欠落してしまい、システムの通信品質に決定的なダメージを与えることになるが、本発明を適用した受信装置１であれば、同期はずれ状態をほぼ完全に回避可能であり、システムの不稼働状態を回避できることがわかった。よって、受信装置１は、切替部１８において、受信レベルＬが所定の閾値よりも高いか低いかに基づいて、相関検出部１５とカウンタ部１７の出力を切り替えることによって、正確にガードインターバルを除去することができるといえる。
【００６８】
ここで、テレビ局のスタジオ等における撮影場所において、撮影用カメラにより撮影した映像データを受信装置１で受信する場合を考える。
【００６９】
撮影用カメラは、スタジオ中を動き回って映像を撮影し、撮影した映像データを順次、無線信号を利用して出力する。受信装置１は、所定の位置に配置されており、撮影用カメラから出力される無線信号を順次受信する。
【００７０】
ところで、撮影用カメラは、スタジオ中を動き回って映像を撮影するため、撮影位置や撮影方向が時々刻々と変化する。また、スタジオ内は、場所や時間によって、人や壁等の障害物の配置が異なることがある。そうすると、フェージングの強弱が時々刻々と変化することになる。
【００７１】
そこで、受信装置１は、フェージングにより受信電力が低下していない場合には、タイミング検出部１５７により相関ピーク値が検出されるタイミングに基づいて、ＯＦＤＭシンボルの同期のタイミング信号を出力する。一方、受信装置１は、フェージングにより受信電力が低下している場合には、カウンタ部１７からカウンタ値が出力されるタイミングに基づいて、ＯＦＤＭシンボルの同期のタイミング信号を出力する。
【００７２】
よって、受信装置１は、フェージングが時々刻々と変化するような撮影環境においても、正確にカードインターバルを除去するタイミングを検出することができる。
【符号の説明】
【００７３】
１  受信装置
１１  受信部
１２  タイミング制御部
１３  ＡＦＣ回路部
１４  ガードインターバル除去部
１５  相関検出部
１６  判定部
１７  カウンタ部
１８  切替部
１９  自動利得制御増幅器
２０  受信電界強度検出部
１５１  遅延部
１５２  共役部
１５３  乗算部
１５４  加算部
１５５  平均化部
１５６  ピーク値検出部
１５７  タイミング検出部
１７１  カウンタ初期値設定部
１７２  カウンタタイミング部
【図１】
2013198078.tif 000003
【図２】
2013198078.tif 000004
【図３】
2013198078.tif 000005
【図４】
2013198078.tif 000006
【図５】
2013198078.tif 000007
【図６】
2013198078.tif 000008
【図７】
2013198078.tif 000009
【図８】
2013198078.tif 000010